(57)【特許請求の範囲】
【請求項１】
連続紙に画像を連続して形成する画像形成部と、
前記連続紙を搬送する搬送部と、
前記画像形成部による最終画像の形成が完了してから、前記最終画像が所定位置に到達するまで前記搬送部が前記連続紙を搬送する間に、前記画像形成部によって形成する後続の画像の画質を調整するための画質調整動作を開始する制御部と、
を備え、
前記制御部は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成装置。
【請求項２】
連続紙に画像を連続して形成する画像形成部と、
前記連続紙を搬送する搬送部と、
前記画像形成部による最終画像の形成が完了してから、前記最終画像が所定位置に到達するまで前記搬送部が前記連続紙を搬送する間に、前記画像形成部によって形成する後続の画像の画質を調整するための画質調整動作を開始する制御部と、
を備え、
前記制御部は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成装置。
【請求項３】
前記制御部は、実行が持ち越された前記画質調整動作を、前記画像形成部による画像形成が新たに開始される際に実行する請求項１または請求項２に記載の画像形成装置。
【請求項４】
前記制御部は、実行が持ち越された前記画質調整動作を、前記画像形成部による次回の画像形成が終了した際に実行する請求項１または請求項２に記載の画像形成装置。
【請求項５】
前記制御部は、実行すべき画質調整動作が複数ある場合には、実行が持ち越された画質調整動作を優先して実行する請求項３または請求項４に記載の画像形成装置。
【請求項６】
（ａ）連続紙に画像を連続して形成するステップと、
（ｂ）前記連続紙を搬送するステップと、
（ｃ）前記ステップ（ａ）による最終画像の形成が完了してから、前記最終画像が所定位置に到達するまで前記連続紙を前記ステップ（ｂ）によって搬送させる間に、以後形成する画像の画質を調整するための画質調整動作を開始するステップと、
を有し、
前記ステップ（ｃ）は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成方法。
【請求項７】
（ａ）連続紙に画像を連続して形成するステップと、
（ｂ）前記連続紙を搬送するステップと、
（ｃ）前記ステップ（ａ）による最終画像の形成が完了してから、前記最終画像が所定位置に到達するまで前記連続紙を前記ステップ（ｂ）によって搬送させる間に、以後形成する画像の画質を調整するための画質調整動作を開始するステップと、
を有し、
前記ステップ（ｃ）は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成方法。
【請求項８】
前記ステップ（ｃ）は、実行が持ち越された前記画質調整動作を、前記ステップ（ａ）による画像形成が新たに開始される際に実行する請求項６または請求項７に記載の画像形成方法。
【請求項９】
前記ステップ（ｃ）は、実行が持ち越された前記画質調整動作を、前記ステップ（ａ）による次回の画像形成が終了した際に実行する請求項６または請求項７に記載の画像形成方法。
【請求項１０】
前記ステップ（ｃ）は、実行すべき画質調整動作が複数ある場合には、実行が持ち越された画質調整動作を優先して実行する請求項８または請求項９に記載の画像形成方法。
【請求項１１】
コンピューターに、
（ａ）連続紙に画像を連続して形成する手順と、
（ｂ）前記連続紙を搬送する手順と、
（ｃ）前記手順（ａ）による最終画像の形成が完了してから、前記最終画像が所定位置に到達するまで前記連続紙を前記手順（ｂ）によって搬送させる間に、以後形成する画像の画質を調整するための画質調整動作を開始する手順と、
を実行させ、
前記手順（ｃ）は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成プログラム。
【請求項１２】
コンピューターに、
（ａ）連続紙に画像を連続して形成する手順と、
（ｂ）前記連続紙を搬送する手順と、
（ｃ）前記手順（ａ）による最終画像の形成が完了してから、前記最終画像が所定位置に到達するまで前記連続紙を前記手順（ｂ）によって搬送させる間に、以後形成する画像の画質を調整するための画質調整動作を開始する手順と、
を実行させ、
前記手順（ｃ）は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成プログラム。
【請求項１３】
前記手順（ｃ）は、実行が持ち越された前記画質調整動作を、前記手順（ａ）による画像形成が新たに開始される際に実行する請求項１１または請求項１２に記載の画像形成プログラム。
【請求項１４】
前記手順（ｃ）は、実行が持ち越された前記画質調整動作を、前記手順（ａ）による次回の画像形成が終了した際に実行する請求項１１または請求項１２に記載の画像形成プログラム。
【請求項１５】
前記手順（ｃ）は、実行すべき画質調整動作が複数ある場合には、実行が持ち越された画質調整動作を優先して実行する請求項１３または請求項１４に記載の画像形成プログラム。
【発明の詳細な説明】
【技術分野】
【０００１】
本発明は、画像形成装置、画像形成方法、および画像形成プログラムに関する。
【背景技術】
【０００２】
従来から、連続紙（ロール紙を含む）を記録媒体として使用可能な画像形成装置がある。このような画像形成装置では、連続紙が画像形成部の位置まで搬送されると、画像形成部において形成されたトナー像が連続紙に転写される。その後、連続紙は、定着装置や後処理装置などを経て、ロール状に巻き取られて停止する。
【０００３】
連続紙にトナー像が転写されてから連続紙の搬送が停止するまでの間、画像形成装置では連続紙を搬送する。画像形成装置の構成によっては、連続紙の搬送の動作に、数十秒以上の長時間を要することがある。
【０００４】
一方で、一般的な画像形成装置では、トナー帯の作成やパッチの形成といった画質を調整するための画質調整動作が実施される。このような画質調整動作は、印刷開始時に実施されることが多い。また、画質調整動作を、画像形成装置がアイドル中に実施したり、連続紙上に連続的に印刷される画像の間隔を広げて実施したりする画像形成装置もある（たとえば、特許文献１）。
【先行技術文献】
【特許文献】
【０００５】
【特許文献１】特開２００６−８４７９６号公報
【発明の概要】
【発明が解決しようとする課題】
【０００６】
従来の画像形成装置では、連続紙が搬送されている間や画質調整動作が実施されている間は、他の処理を受け付けないため、システムが停止している時間（ダウンタイム）の増大や生産性の低下を招いている。特に、連続紙に印刷する画像の間隔を広げて画質調整動作を実施する場合には、連続紙を無駄に消費することになるため、連続紙を効率的に使用できない。また、印刷開始時に全ての画質調整動作を実施すると生産性が悪いばかりか、ユーザーからの指示に基づく動作の開始が遅れるため、ユーザーに与える印象も悪くなる。
【０００７】
本発明は、上記事情に鑑みてなされたものであり、従来と比較して、連続紙を記録媒体として使用する際に生じるダウンタイムの低減と生産性の向上を図れる画像形成装置、画像形成方法、および画像形成プログラムを提供することを目的とする。
【課題を解決するための手段】
【０００８】
（１）連続紙に画像を連続して形成する画像形成部と、前記連続紙を搬送する搬送部と、前記画像形成部による最終画像の形成が完了してから、前記最終画像が所定位置に到達するまで前記搬送部が前記連続紙を搬送する間に、前記画像形成部によって形成する後続の画像の画質を調整するための画質調整動作を開始する制御部と、を備え、前記制御部は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成装置。
【００１４】
（２）連続紙に画像を連続して形成する画像形成部と、前記連続紙を搬送する搬送部と、前記画像形成部による最終画像の形成が完了してから、前記最終画像が所定位置に到達するまで前記搬送部が前記連続紙を搬送する間に、前記画像形成部によって形成する後続の画像の画質を調整するための画質調整動作を開始する制御部と、を備え、前記制御部は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成装置。
【００１５】
（３）前記制御部は、実行が持ち越された前記画質調整動作を、前記画像形成部による画像形成が新たに開始される際に実行する上記（１）または（２）に記載の画像形成装置。
【００１６】
（４）前記制御部は、実行が持ち越された前記画質調整動作を、前記画像形成部による次回の画像形成が終了した際に実行する上記（１）または（２）に記載の画像形成装置。
【００１７】
（５）前記制御部は、実行すべき画質調整動作が複数ある場合には、実行が持ち越された画質調整動作を優先して実行する上記（３）または（４）に記載の画像形成装置。
【００１８】
（１１）（ａ）連続紙に画像を連続して形成するステップと、（ｂ）前記連続紙を搬送するステップと、（ｃ）前記ステップ（ａ）による最終画像の形成が完了してから、前記最終画像が所定位置に到達するまで前記連続紙を前記ステップ（ｂ）によって搬送させる間に、以後形成する画像の画質を調整するための画質調整動作を開始するステップと、を有し、前記ステップ（ｃ）は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成方法。
【００２４】
（７）（ａ）連続紙に画像を連続して形成するステップと、（ｂ）前記連続紙を搬送するステップと、（ｃ）前記ステップ（ａ）による最終画像の形成が完了してから、前記最終画像が所定位置に到達するまで前記連続紙を前記ステップ（ｂ）によって搬送させる間に、以後形成する画像の画質を調整するための画質調整動作を開始するステップと、を有し、前記ステップ（ｃ）は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成方法。
【００２５】
（８）前記ステップ（ｃ）は、実行が持ち越された前記画質調整動作を、前記ステップ（ａ）による画像形成が新たに開始される際に実行する上記（６）または（７）に記載の画像形成方法。
【００２６】
（９）前記ステップ（ｃ）は、実行が持ち越された前記画質調整動作を、前記ステップ（ａ）による次回の画像形成が終了した際に実行する上記（６）または（７）に記載の画像形成方法。
【００２７】
（１０）前記ステップ（ｃ）は、実行すべき画質調整動作が複数ある場合には、実行が持ち越された画質調整動作を優先して実行する上記（８）または（９）に記載の画像形成方法。
【００２８】
（１１）コンピューターに、（ａ）連続紙に画像を連続して形成する手順と、（ｂ）前記連続紙を搬送する手順と、（ｃ）前記手順（ａ）による最終画像の形成が完了してから、前記最終画像が所定位置に到達するまで前記連続紙を前記手順（ｂ）によって搬送させる間に、以後形成する画像の画質を調整するための画質調整動作を開始する手順と、を実行させ、前記手順（ｃ）は、前記最終画像が前記所定位置に到達して前記連続紙が搬送停止した際に、実行中の画質調整動作がある場合には、当該画質調整動作を最後まで実行し、未開始の画質調整動作については実行せずに持ち越す画像形成プログラム。
【００３４】
（１２）コンピューターに、（ａ）連続紙に画像を連続して形成する手順と、（ｂ）前記連続紙を搬送する手順と、（ｃ）前記手順（ａ）による最終画像の形成が完了してから、前記最終画像が所定位置に到達するまで前記連続紙を前記手順（ｂ）によって搬送させる間に、以後形成する画像の画質を調整するための画質調整動作を開始する手順と、を実行させ、前記手順（ｃ）は、前記最終画像が前記所定位置に到達して前記連続紙が搬送停止した際に、次の画像形成が予約されている状態であって、かつ、実行中の画質調整動作がある場合には、当該画質調整動作を最後まで実行し、未開始の画質調整動作については実行せずに持ち越す画像形成プログラム。
【００３５】
（１３）前記手順（ｃ）は、実行が持ち越された前記画質調整動作を、前記手順（ａ）による画像形成が新たに開始される際に実行する上記（１１）または（１２）に記載の画像形成プログラム。
【００３６】
（１４）前記手順（ｃ）は、実行が持ち越された前記画質調整動作を、前記手順（ａ）による次回の画像形成が終了した際に実行する上記（１１）または（１２）に記載の画像形成プログラム。
【００３７】
（１５）前記手順（ｃ）は、実行すべき画質調整動作が複数ある場合には、実行が持ち越された画質調整動作を優先して実行する上記（１３）または（１４）に記載の画像形成プログラム。
【発明の効果】
【００３８】
本発明によれば、連続紙に画像が形成されてから連続紙の搬送が停止するまでの間に、画質を調整するための画質調整動作を開始する。つまり、画像形成後の連続紙の搬送と、画質調整動作が並行して行われるようになる。これにより、画像形成後の連続紙の搬送を待っている合間に、必要な画質調整動作の少なくとも一部は済まされ、連続紙を記録媒体として使用する際に生じるダウンタイムの低減と生産性の向上が図れる。
【図面の簡単な説明】
【００３９】
【図１】本実施形態に係る画像形成システムの概略構成例を示す図である。
【図２】制御部のハードウェア構成例を示すブロック図である。
【図３】印刷終了時の判断処理の手順を示すフローチャートである。
【図４】印刷開始前の判断処理の手順を示すフローチャートである。
【図５】印刷終了時に全ての画質調整動作を終了させる例を説明するための図である。
【図６】連続紙の搬送停止時に未開始である画質調整動作を、次回の印刷開始時に持ち越す例を説明するための図である。
【図７】連続紙の搬送停止時に未開始である画質調整動作を、次回の印刷終了時に持ち越す例を説明するための図である。
【発明を実施するための形態】
【００４０】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００４１】
図１は、本実施形態に係る画像形成システムの概略構成例を示す図である。
【００４２】
以下、図１を参照して、画像形成システム１の概略構成について説明する。
【００４３】
＜画像形成システム１＞
本実施形態に係る画像形成システム１は、連続紙（ロール紙を含む）を記録媒体として使用し、当該連続紙上に画像を形成するシステムである。
【００４４】
図１に示すとおり、画像形成システム１は、連続紙の搬送方向に沿って上流側から、給紙装置１０、給紙調整装置２０、画像形成装置３０、排紙調整装置４０、加工装置５０、排紙装置６０が接続されて構成される。
【００４５】
給紙装置１０は、連続紙Ｐを画像形成装置３０へ給紙する装置である。給紙装置１０の筐体内では、たとえば、図１に示すとおり、ロール状の連続紙Ｐが支持軸に巻回されて回転可能に保持される。給紙装置１０は、支持軸に巻回された連続紙Ｐを、複数のローラー（たとえば、繰り出しローラー、給紙ローラー）を経由して、一定の速度で外部へ搬送する。ただし、給紙装置１０において、連続紙Ｐは、必ずしもロール状に保持されている必要はなく、折り畳まれて保持されてもよい。また、図１には、一の連続紙Ｐしか示されていないが、複数の連続紙が保持されてもよい。
【００４６】
給紙調整装置２０は、連続紙Ｐの搬送方向において、給紙装置１０の下流側、かつ、画像形成装置３０の上流側に設置される。給紙調整装置２０は、給紙装置１０から搬送された連続紙Ｐを、画像形成装置３０へと搬送する。ただし、給紙調整装置２０は、給紙装置１０での連続紙Ｐの搬送速度と、画像形成装置３０での連続紙Ｐの搬送速度との速度差を吸収するために、図１に示すように連続紙Ｐをたるませて保持し、画像形成装置３０への連続紙Ｐの給紙を調整する。
【００４７】
画像形成装置３０は、印刷機能を有する。画像形成装置３０は、連続紙Ｐの搬送方向において、給紙調整装置２０の下流側、かつ、排紙調整装置４０の上流側に設置される。図１に示すとおり、画像形成装置３０は、制御部３１と、給紙搬送部３２と、画像形成部３３と、読取部３４と、定着部３５と、排紙搬送部３６と、操作パネル３７とを備える。
【００４８】
制御部３１は、画像形成装置３０に含まれる各部３２〜３６を制御して、連続紙Ｐ上に連続して画像を形成する動作（以下「画像形成動作」とも称する）を実行させる。また、制御部３１は、画像形成装置３０に含まれる各部３２〜３６等を制御して、連続紙Ｐ上に形成される画像の画質を調整する動作（以下「画質調整動作」とも称する）を実行させる。なお、画質調整動作は、画像形成動作によって最終画像の形成が完了してから、その最終画像が所定位置（たとえば、排紙装置６０内）に搬送されるまでの間に、開始される。
【００４９】
また、画質調整動作には、トナー帯作成、濃度補正、通常用のカラーレジスト調整、微調整用のカラーレジスト調整の少なくとも一つが含まれる。ここで、トナー帯作成とは、像担持体をクリーニングするためのクリーニングブレード（不図示）に微量のトナーを供給する動作である。濃度補正とは、画像形成動作において露光量やバイアス電圧等のプロセス条件を変更して、各色（Ｃ、Ｍ、Ｙ、Ｋ）の濃度（濃度ズレ）を補正する動作である。通常用のカラーレジスト調整とは、各色の像担持体に照射するレーザー光の照射開始位置および軸を変更して、各色の印刷位置（色ズレ）を揃える動作である。微調整用のカラーレジスト調整とは、各色の像担持体に照射するレーザー光の照射開始位置のみを変更して、各色の印刷位置を揃える動作である。なお、トナー帯作成、濃度補正、通常用のカラーレジスト調整、微調整用のカラーレジスト調整の具体的な動作については、後述する。
【００５０】
給紙搬送部３２は、画像形成装置３０の給紙側の搬送機構であり、たとえば、給紙モーターの駆動によって一対の給紙搬送ローラーを回転させ、給紙調整装置２０から搬送された連続紙Ｐを、画像形成部３３へと搬送する。
【００５１】
画像形成部３３は、電子写真プロセスによってトナー像を形成し、連続紙Ｐに転写する。たとえば、画像形成部３３においては、像担持体として、感光体ドラム（Ｙ、Ｍ、Ｃ、Ｋ）および中間転写ベルトＢが用いられる。中間転写ベルトＢは、無端ベルトであり、複数のローラーにより巻回され、走行可能に支持される。感光体ドラム（Ｙ、Ｍ、Ｃ、Ｋ）に形成された各色のトナー像は、中間転写ベルトＢ上に逐次転写され、各色（Ｙ、Ｍ、Ｃ、Ｋ）の層が重畳したトナー像（カラー画像）が中間転写ベルトＢ上に形成される。そして、トナーと逆極性のバイアスを転写ローラー（転写部）Ｔに印加することにより、中間転写ベルトＢ上に形成されたトナー像は連続紙Ｐ上に転写される。こうして、連続紙Ｐ上に画像が形成される。
【００５２】
読取部３４は、画像形成部３３により中間転写ベルトＢ上に形成された画質調整用のパッチやパターンを読み取るイメージセンサーである。読取部３４による読取結果は、画像形成部３３での画像形成動作、画質調整動作等にフィードバックされる。
【００５３】
定着部３５は、連続紙Ｐ上に転写されたトナー像を定着させる。たとえば、定着部３５は、加熱源である定着ローラーＲ１を、加圧ローラーＲ２に圧着させる。これにより、連続紙Ｐには、ニップ部において熱と圧力が加えられ、トナー像が溶融定着する。
【００５４】
排紙搬送部３６は、画像形成装置３０の排紙側の搬送機構であり、たとえば、排紙モーターの駆動によって一対の排紙搬送ローラーを回転させ、定着部３５を通過してきた連続紙Ｐを、排紙調整装置４０へと搬送する。
【００５５】
操作パネル３７は、タッチパネル、テンキー、スタートボタン、ストップボタン等を備えており、各種情報の表示および各種指示の入力に使用される。
【００５６】
なお、画像形成装置３０は、印刷機能に加え、コピー機能、スキャン機能、ファクシミリ機能等を有するＭＦＰ（Ｍｕｌｔｉ−Ｆｕｎｃｔｉｏｎ  Ｐｅｒｉｐｈｅｒａｌ）であってもよい。
【００５７】
排紙調整装置４０は、連続紙Ｐの搬送方向において、画像形成装置３０の下流側、かつ、加工装置５０の上流側に設置される。排紙調整装置４０は、画像形成装置３０から搬送された連続紙Ｐを、加工装置５０へと搬送する。ただし、排紙調整装置４０は、画像形成装置３０での連続紙Ｐの搬送速度と、加工装置５０での連続紙Ｐの搬送速度との速度差を吸収するために、図１に示すように連続紙Ｐをたるませて保持し、画像形成装置３０からの連続紙Ｐの排紙を調整する。
【００５８】
加工装置５０は、連続紙Ｐに対して、所定形状の切り抜きやラミネート加工等を行う。
【００５９】
排紙装置６０は、排紙調整装置４０および加工装置５０を経て画像形成装置３０から搬送されてきた連続紙Ｐを排紙する装置である。排紙装置６０の筐体内では、たとえば、図１に示すとおり、連続紙Ｐが支持軸に巻回されてロール状に保持される。そのために、排紙装置６０は、加工装置５０から搬送されてきた連続紙Ｐを、複数のローラー（たとえば、繰り出しローラー、排紙ローラー）を経由して、一定の速度で支持軸に巻き取る。ただし、排紙装置６０において、連続紙Ｐは、必ずしもロール状に保持されている必要はなく、ページごとにカットされてもよい。
【００６０】
＜制御部３１（ハードウェア構成）＞
図２は、制御部のハードウェア構成例を示すブロック図である。
【００６１】
以下、図２を参照して、制御部３１のハードウェア構成について説明する。
【００６２】
制御部３１は、図２に示されるとおり、ＣＰＵ（Ｃｅｎｔｒａｌ  Ｐｒｏｃｅｓｓｉｎｇ  Ｕｎｉｔ）７１と、メモリー７２と、ストレージ７３と、ネットワークインターフェース（Ｉ／Ｆ）７４と、入出力装置インターフェース（Ｉ／Ｆ）７５と、を有し、これらは信号をやり取りするためのバスを介して相互に接続されている。
【００６３】
ＣＰＵ７１は、プログラムにしたがって上記各部の制御や各種の演算処理を実行するマルチコアのプロセッサ等から構成される制御回路であり、画像形成システム１の各機能は、それに対応するプログラムをＣＰＵ７１が実行することにより発揮される。
【００６４】
メモリー７２は、作業領域として一時的にプログラムおよびデータを記憶する高速アクセス可能な主記憶装置である。メモリー７２には、たとえば、ＤＲＡＭ（Ｄｙｍａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｍａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等が採用される。
【００６５】
ストレージ７３は、オペレーティングシステムを含む各種プログラムや各種データを格納する大容量の補助記憶装置である。ストレージ７３には、たとえば、フラッシュメモリー、ソリッドステートドライブ、ハードディスク、ＲＯＭ（Ｒｅａｄ  Ｏｎｌｙ  Ｍｅｍｏｒｙ）等が採用される。
【００６６】
ネットワークＩ／Ｆ７４は、コンピューターネットワークを介し他の外部装置（たとえば、プリンタードライバーが組み込まれたホスト装置）と通信するためのインターフェースである。通信には、イーサネット（登録商標）、Ｗｉ−Ｆｉ、ＦＤＤＩ、トークンリング等の規格が用いられる。
【００６７】
入出力装置Ｉ／Ｆ７５は、たとえば、操作パネル３７等の入力装置および出力装置と通信するためのインターフェースである。
【００６８】
本実施形態の制御部３１は、以上のようなハードウェア構成を有する。このハードウェア構成により、制御部３１は、画像形成部３３による最終画像の形成が完了してから、その最終画像が所定位置（たとえば、排紙装置６０内）に到達するまで連続紙Ｐを排紙搬送部３６に搬送させる間に、画質調整動作を開始する制御を行う。
【００６９】
画像形成システム１(特に、制御部３１)の詳細な動作については以下に詳述する。
【００７０】
＜画像形成システム１の動作＞
図３は、印刷終了時の判断処理の手順を示すフローチャートである。図４は、印刷開始前の判断処理の手順を示すフローチャートである。図５は、印刷終了時に全ての画質調整動作を終了させる例を説明するための図である。図６は、連続紙の搬送停止時に未開始である画質調整動作を、次回の印刷開始時に持ち越す例を説明するための図である。図７は、連続紙の搬送停止時に未開始である画質調整動作を、次回の印刷終了時に持ち越す例を説明するための図である。
【００７１】
まず、図３を参照して、印刷終了時の判断処理の手順について説明する。
【００７２】
（印刷終了時の判断処理）
たとえば、画像形成装置３０は、ネットワークＩ／Ｆ７４を介して、外部装置（プリンタードライバーが組み込まれたホスト装置など）から印刷ジョブを受信し、印刷を実行する際に、図３に示す印刷終了時の判断処理を開始する。ただし、印刷終了時の判断処理を開始するタイミングは、これに限定されない。たとえば、ＡＤＦ（Ａｕｔｏ  Ｄｏｃｕｍｅｎｔ  Ｆｅｅｄｅｒ）や原稿台に用紙原稿が載置され、操作パネル３７においてコピーを指示する操作がなされて、印刷を実行する際に、印刷終了時の判断処理を開始してもよい。
【００７３】
［ステップＳ１０１］
印刷終了時の判断処理を開始すると、制御部３１は、画像形成部３３を制御して、画像形成動作を実行する。たとえば、制御部３１は、外部装置から印刷ジョブを受信していた場合、当該印刷ジョブに含まれる印刷対象データを抽出する。そして、制御部３１は、画像形成部３３を制御して、当該印刷対象データに基づくトナー像を各色の感光体ドラム（Ｙ、Ｍ、Ｃ、Ｋ）に形成し、中間転写ベルトＢを介して連続紙Ｐに転写する。このとき、中間転写ベルトＢから連続紙Ｐへの転写は、転写ローラー（転写部）Ｔにトナーと逆極性のバイアスを印加することによって実施される。以上のような画像形成動作に伴って、制御部３１は、少なくとも、給紙搬送部３２および排紙搬送部３６を制御し、連続紙Ｐを搬送する。これにより、印刷対象データに基づくトナー像（画像）が連続紙Ｐ上に形成される。続いて、連続紙Ｐ上に形成された画像は、定着部３５の位置まで搬送され、定着部３５の定着ローラーＲ１および加圧ローラーＲ２により熱および圧力が加えられる。その結果、連続紙Ｐには、印刷対象データに基づくトナー像（画像）が溶融定着する。なお、操作パネル３７によりコピーが指示された場合には、制御部３１は、ＡＤＦや原稿台に載置された用紙原稿をスキャンし、生成されるスキャン画像を印刷対象データとして上記と同様の動作により印刷すればよい。
【００７４】
また、複数の印刷ジョブを連続して受信していた場合や、印刷対象データに複数ページ分のデータが含まれていた場合には、制御部３１は、ページごとに画像を連続紙Ｐに形成する。
【００７５】
［ステップＳ１０２］
制御部３１は、ステップＳ１０１の画像形成動作が終了したか否か判別する。具体的には、制御部３１は、印刷中の印刷対象データに含まれる最終ページ分の画像（すなわち、「最終画像」）が連続紙Ｐに形成されたか否か判別する。制御部３１は、最終画像がまだ形成されていない場合には、画像形成動作は終了していないと判定し（ステップＳ１０２：ＮＯ）、ステップＳ１０１の処理を続行する。一方、制御部３１は、最終画像が形成済みである場合には、画像形成動作が終了していると判定し（ステップＳ１０２：ＹＥＳ）、処理をステップＳ１０３に進める。
【００７６】
［ステップＳ１０３］
制御部３１は、画質調整動作が必要であるか否か判断する。具体的には、制御部３１は、複数の画質調整動作（トナー帯作成、濃度補正、通常用のカラーレジスト調整、微調整用のカラーレジスト調整など）のそれぞれに対して、所定の実行条件を満たしているか判断する。たとえば、トナー帯作成の実行条件として、前回実行時から所定数（たとえば、５００）以上の画像が形成されたか否か判断する（実行条件１）。また、濃度補正の実行条件として、前回実行時との湿度差が１０％以上あるか否か、または前回実行時から所定数（たとえば、１０００）以上の画像が形成されているか否か判断する（実行条件２）。また、通常用のカラーレジスト調整の実行条件として、前回実行時との温度差が５℃以上あるか否か、または前回実行時から所定数（たとえば、１５００）以上の画像が形成されたか否か判断する（実行条件３）。また、微調整用のカラーレジスト調整の実行条件として、印刷の開始時において、前回実行時との温度差が５℃以上あるか否か、または前回実行時刻から所定時間（たとえば、１時間）以上経過したか否か判断する（実行条件４）。いずれの条件においても、所定数や所定時間は、機械側で自動設定されているが、ユーザーが任意に設定することも可能である。
【００７７】
制御部３１は、実行条件１〜４のうち少なくとも一つの実行条件が満たされている場合には、画質調整動作が必要と判定して（ステップＳ１０３：ＹＥＳ）、処理をステップＳ１０４に進める。一方、制御部３１は、全ての実行条件１〜４が満たされていない場合には、画質調整動作は不要と判定して（ステップＳ１０３：ＮＯ）、処理をステップＳ１１２に進める。
【００７８】
［ステップＳ１０４］
制御部３１は、転写ローラー（転写部）Ｔを連続紙Ｐから離間させる。なお、画質調整動作が実行されている間、転写ローラーＴは、連続紙Ｐから離間した状態で維持される。これにより、連続紙Ｐに不要なトナーが付着するのを抑制できる。
【００７９】
［ステップＳ１０５］
制御部３１は、実行条件を満たしている画質調整動作を実行する。たとえば、画質調整動作として「トナー帯作成」を実行する場合には、制御部３１は、中間転写ベルトＢをクリーニングするために設置されたクリーニングブレード（不図示）に対して、所定間隔で微量のトナーを供給する。また、画質調整動作として「濃度補正」を実行する場合には、制御部３１は、中間転写ベルトＢ上に形成された画質調整用のパッチやパターンを読取部３４に読み取らせる。制御部３１は、その読取結果（たとえば、各色の濃度）に基づき、画像形成部３３の露光量やバイアス電圧等のプロセス条件を変更する。また、画質調整動作として「通常用のカラーレジスト調整」を実行する場合にも、制御部３１は、中間転写ベルトＢ上に形成された画質調整用のパッチやパターンを読取部３４に読み取らせる。制御部３１は、その読取結果（たとえば、各色の印刷位置）に基づき、各色の感光体ドラムに照射するレーザー光の照射開始位置および軸を変更する。また、画質調整動作として「微調整用のカラーレジスト調整」を実行する場合にも、制御部３１は、中間転写ベルトＢ上に形成された画質調整用のパッチやパターンを読取部３４に読み取らせる。制御部３１は、その読取結果（たとえば、各色の印刷位置）に基づき、各色の感光体ドラムに照射するレーザー光の照射開始位置を変更する。
【００８０】
ただし、制御部３１は、実行条件を満たしている画質調整動作が複数ある場合には、実行順序を設定してから、その実行順序に従って各画質調整動作を開始する。たとえば、制御部３１は、画像形成部３３によって連続紙Ｐに形成された最終画像が、所定位置（排紙装置６０内等）に到達するまで搬送される間に、より重要度の高い画質調整動作が優先して実行されるように画質調整動作の実行順序を設定する。なお、本実施形態の例では、クリーニング部材の破損や画質不良（クリーニング不良）を防ぐために必要な「トナー帯作成」の重要度を高く設定する。また、濃度ズレを防ぐために必要な「濃度補正」の重要度を中程度に設定し、色ズレを防ぐために必要な「通常用のカラーレジスト調整」および「微調整用のカラーレジスト調整」の重要度を低く設定する。ただし、この重要度の高低は一例であり、適宜、設定変更可能である。
【００８１】
また、本実施形態では、一例として、画像形成部３３によって連続紙Ｐに形成された最終画像が、所定位置に到達するまで搬送される間の平均的な時間（以下「排紙搬送時間」と称する）を、３０秒とする。また、トナー帯作成に要する平均的な時間を、１０秒とする。また、濃度補正に要する平均的な時間を、４０秒とする。また、通常用のカラーレジスト調整に要する平均的な時間を、５０秒とする。また、微調整用のカラーレジスト調整に要する平均的な時間を、３０秒とする。この例では、制御部３１は、排紙搬送時間内に、より重要度の高い画質調整動作が優先して実行されるように、最初にトナー帯作成を行うように画質調整動作の実行順序を設定する。
【００８２】
また、制御部３１は、過去に実行が持ち越された画質調整動作が、今回の画像形成の終了時に実行すべき画質調整動作として登録されている場合には、当該画質調整動作も実行する。なお、制御部３１は、実行すべき画質調整動作が複数ある場合には、実行が持ち越された画質調整動作を優先して実行する。
【００８３】
［ステップＳ１０６］
制御部３１は、排紙搬送部３６を制御して連続紙Ｐを搬送させつつ、その搬送を停止させるか否か判別する。具体的には、排紙装置６０内の所定位置にイメージセンサーを配置しておき、制御部３１は、イメージセンサーからの信号に基づいて、最終画像（先頭または最後尾）が所定位置を通過したことを検出する。制御部３１は、イメージセンサーによって最終画像の通過が検出されない場合には（ステップＳ１０６：ＮＯ）、連続紙Ｐの搬送を継続する。一方、制御部３１は、イメージセンサーによって最終画像の通過が検出された場合には（ステップＳ１０６：ＹＥＳ）、連続紙Ｐの搬送を停止する。
【００８４】
［ステップＳ１０７］
制御部３１は、次の画像形成の予約があるか否か判別する。たとえば、制御部３１は、未処理の印刷対象データが残っている場合に、次の画像形成の予約があると判定する。一方、制御部３１は、印刷対象データがない場合には、次の画像形成の予約はないと判定する。制御部３１は、次の画像形成の予約があると判定された場合には（ステップＳ１０７：ＹＥＳ）、処理をステップＳ１０８に進める。一方、制御部３１は、次の画像形成の予約がないと判定された場合には（ステップＳ１０７：ＮＯ）、処理をステップＳ１１１に進める。
【００８５】
［ステップＳ１０８］
制御部３１は、印刷終了時において全ての画質調整動作の終了を待つ設定がなされているか否かを判別する。制御部３１は、全ての画質調整動作の終了を待つように設定されている場合には（ステップＳ１０８：ＹＥＳ）、処理をステップＳ１１１に進める。一方、制御部３１は、全ての画質調整動作の終了を待たないように設定されている場合には（ステップＳ１０８：ＮＯ）、処理をステップＳ１０９に進める。なお、全ての画質調整動作の終了を待つかどうかの設定は、印刷終了時の判断処理を開始する前に予め所定の記憶装置（たとえば、ストレージ７３）に登録されている。
【００８６】
［ステップＳ１０９］
制御部３１は、最後に開始した画質調整動作が終了したか否か判別する。制御部３１は、最後に開始した画質調整動作が終了していない場合には（ステップＳ１０９：ＮＯ）、実行中の画質調整動作を最後まで実行する。一方、制御部３１は、最後に開始した画質調整動作が終了している場合には（ステップＳ１０９：ＹＥＳ）、処理をステップＳ１１０に進める。
【００８７】
［ステップＳ１１０］
制御部３１は、未開始の画質調整動作がある場合には、実行せずに持ち越すために登録しておく。具体的には、未開始の画質調整動作の識別情報（たとえば、画質調整動作の名称）を、画像形成部３３による画像形成が新たに開始される際に実行すべき画質調整動作として、所定の記憶装置（たとえば、ストレージ７３）に記憶する。または、未開始の画質調整動作の識別情報を、画像形成部３３による次回の画像形成が終了した際に実行すべき画質調整動作として、所定の記憶装置に記憶してもよい。ステップＳ１１０の処理後、制御部３１は、印刷終了時の判断処理を終了する。
【００８８】
［ステップＳ１１１］
制御部３１は、ステップＳ１０３において実行の必要があると判断された全ての画質調整動作が終了したか否か判別する。制御部３１は、全ての画質調整動作が終了していない場合には（ステップＳ１１１：ＮＯ）、全ての画質調整動作が終了するまで待機する。一方、制御部３１は、全ての画質調整動作が終了している場合には（ステップＳ１１１：ＹＥＳ）、そのまま印刷終了時の判断処理を終了する。
【００８９】
［ステップＳ１１２］
制御部３１は、排紙搬送部３６を制御して連続紙Ｐを搬送させつつ、その搬送を停止させるか否か判別する。具体的には、制御部３１は、排紙装置６０内の所定位置に配置されたイメージセンサーからの信号に基づいて、最終画像（先頭または最後尾）が所定位置を通過したことを検出する。制御部３１は、イメージセンサーによって最終画像の通過が検出されない場合には（ステップＳ１１２：ＮＯ）、連続紙Ｐの搬送を継続する。一方、制御部３１は、イメージセンサーによって最終画像の通過が検出された場合には（ステップＳ１１２：ＹＥＳ）、連続紙Ｐの搬送を停止して、印刷終了時の判断処理を終了する。
【００９０】
次に、図４を参照して、印刷開始前の判断処理の手順について説明する。
【００９１】
（印刷開始前の判断処理）
たとえば、画像形成装置３０は、図３に示す印刷終了時の判断処理が実行された後、新たに、ネットワークＩ／Ｆ７４を介して、外部装置から印刷ジョブを受信すると、図４に示す印刷開始前の判断処理を開始する。ただし、印刷開始前の判断処理を開始するタイミングは、これに限定されない。たとえば、図３に示す印刷終了時の判断処理が実行された後に、ＡＤＦや原稿台に用紙原稿が載置され、操作パネル３７においてコピーを指示する操作がなされて、印刷開始前の判断処理を開始してもよい。
【００９２】
［ステップＳ２０１］
印刷開始前の判断処理を開始すると、制御部３１は、所定の実行条件を新たに満たす画質調整動作が発生したか否か判別する。具体的には、制御部３１は、複数の画質調整動作（トナー帯作成、濃度補正、通常用のカラーレジスト調整、微調整用のカラーレジスト調整など）のそれぞれに対して、新たに上記の実行条件１〜４を満たすようになっているか判断する。
【００９３】
制御部３１は、実行条件１〜４のうち少なくとも一つの実行条件を新たに満たすようになっている場合には、所定の実行条件を新たに満たす画質調整動作が発生したと判定して（ステップＳ２０１：ＹＥＳ）、処理をステップＳ２０２に進める。一方、制御部３１は、実行条件１〜４のうち少なくとも一つの実行条件を新たに満たすようになっていない場合には、所定の実行条件を新たに満たす画質調整動作は発生していないと判定して（ステップＳ２０１：ＮＯ）、処理をステップＳ２０３に進める。
【００９４】
［ステップＳ２０２］
制御部３１は、ステップＳ２０１において所定の実行条件を新たに満たしていると判定された画質調整動作を、画像形成部３３による画像形成が新たに開始される際に実行すべき画質調整動作として登録する。具体的には、対象となる画質調整動作の識別情報（たとえば、画質調整動作の名称）を、所定の記憶装置（たとえば、ストレージ７３）に記憶する。
【００９５】
［ステップＳ２０３］
制御部３１は、画像形成が開始される際に実行すべき画質調整動作があるか否か判別する。具体的には、制御部３１は、所定の記憶装置に、画像形成が開始される際に実行すべき画質調整動作を示す識別情報が登録されているか否か判別する。登録されている場合には、制御部３１は、画像形成が開始される際に実行すべき画質調整動作があると判定して（ステップＳ２０３：ＹＥＳ）、処理をステップＳ２０４に進める。一方、登録されていない場合には、制御部３１は、画像形成が開始される際に実行すべき画質調整動作はないと判定して（ステップＳ２０３：ＮＯ）、印刷開始前の判断処理を終了し、図３に示す印刷終了時の判断処理を開始する。
【００９６】
［ステップＳ２０４］
制御部３１は、今回の画像形成の開始の際に実行すべき画質調整動作として登録されている画質調整動作を実行する。ただし、実行すべき画質調整動作が複数ある場合には、制御部３１は、より重要度の高い画質調整動作が優先して実行されるように実行順序を設定してから、その実行順序に従って各画質調整動作を開始する。ただし、重要度が低く設定されている画質調整動作であっても、上記のステップＳ１１０において実行せずに持ち越された画質調整動作については、最優先して実行するようにする。
【００９７】
［ステップＳ２０５］
制御部３１は、実行すべき全ての画質調整動作が終了したか否か判別する。制御部３１は、全ての画質調整動作が終了していない場合には（ステップＳ２０５：ＮＯ）、全ての画質調整動作が終了するまで待機する。一方、制御部３１は、全ての画質調整動作が終了している場合には（ステップＳ２０５：ＹＥＳ）、印刷開始前の判断処理を終了し、図３に示す印刷終了時の判断処理を開始する。
【００９８】
以上の印刷終了時の判断処理（図３）および印刷開始前の判断処理（図４）が画像形成装置３０において実行される。印刷終了時の判断処理では、連続紙Ｐに画像が形成されて（ステップＳ１０１）から連続紙Ｐの搬送が停止するまで（ステップＳ１０６）の間に、画質を調整するための画質調整動作を開始している（ステップＳ１０５）。つまり、画像形成後の連続紙Ｐの搬送と、画質調整動作が並行して行われるようになる。これにより、画像形成後の連続紙Ｐの搬送を待っている合間に、必要な画質調整動作の少なくとも一部は済まされ、連続紙Ｐを記録媒体として使用する際に生じるダウンタイムの低減と生産性の向上が図れる。
【００９９】
また、印刷終了時の判断処理では、次の画像形成の予約がない場合には（ステップＳ１０７：ＮＯ）、印刷終了時に、所定の実行条件を満たす全ての画質調整動作を終了させている（ステップＳ１１１）。たとえば、図５に示すように、所定の実行条件を満たす画質調整動作が、トナー帯作成、濃度補正、および通常用のカラーレジスト調整である場合、制御部３１は、排紙搬送部３６による連続紙Ｐの搬送が停止した後も、引き続き全ての画質調整動作を終了させる。したがって、この場合には、排紙搬送部３６による連続紙Ｐの搬送停止時に未開始の画質調整動作があっても、次の印刷開始時まで持ち越すことはない。そのため、次の印刷開始時に実行する画質調整動作を最小限に抑えることができ、新たに印刷ジョブを受信した時などに迅速に印刷動作を開始できる。なお、図５に示す微調整用のカラーレジスト調整は、印刷開始時に新たに発生した画質調整動作である（ステップＳ２０１）。
【０１００】
また、印刷終了時の判断処理では、次の画像形成の予約があり（ステップＳ１０７：ＹＥＳ）、全ての画質調整動作の終了を待たない設定である場合には（ステップＳ１０８：ＮＯ）、未開始の画質調整動作を実行せずに持ち越している（ステップＳ１１０）。図６に示す例のように、所定の実行条件を満たす画質調整動作が、トナー帯作成、濃度補正、および通常用のカラーレジスト調整である場合、制御部３１は、連続紙Ｐの搬送停止時に未開始である通常用のカラーレジスト調整を、次回の印刷開始時に持ち越すことができる。これにより、次回の印刷開始時には、持ち越された画質調整動作が確実に実行される。
【０１０１】
また、連続紙Ｐの搬送停止時に未開始である画質調整動作を、次回の印刷開始時ではなく、次回の印刷終了時に持ち越してもよい。図７に示す例のように、所定の実行条件を満たす画質調整動作が、トナー帯作成、濃度補正、および通常用のカラーレジスト調整である場合、制御部３１は、連続紙Ｐの搬送停止時に未開始である通常用のカラーレジスト調整を、次回の印刷終了時に持ち越すことができる。これにより、次回の印刷終了時には、持ち越された画質調整動作が確実に実行される。また、印刷開始時に実行する画質調整動作を最小限に抑えることができ、新たに印刷ジョブを受信した時などに迅速に印刷動作を開始できる。
【０１０２】
また、印刷開始前の判断処理では、印刷開始時に新たに所定の実行条件を満たす画質調整動作が発生したか判断し直している（ステップＳ２０１）。これにより、画像形成システム１の使用状況の変化に応じて、適宜、必要な画質調整動作を実行できる。
【０１０３】
なお、上記した各フローチャートの各処理単位は、画像形成システム１の理解を容易にするために、主な処理内容に応じて分割したものである。処理ステップの分類の仕方やその名称によって、本願発明が制限されることはない。画像形成システム１で行われる処理は、さらに多くの処理ステップに分割することもできる。また、１つの処理ステップが、さらに多くの処理を実行してもよい。
【０１０４】
＜変形例＞
また、上記実施形態は、本発明の要旨を例示することを意図し、本発明を限定するものではない。多くの代替物、修正、変形例は当業者にとって明らかである。
【０１０５】
たとえば、上記実施形態では、画像形成装置３０は、像担持体として複数の感光体ドラム（Ｙ、Ｍ、Ｃ、Ｋ）および中間転写ベルトＢを有するタンデム式を採用している。しかし、本発明は、これに限定されず、像担持体として単一の感光体ドラムを用いるロータリー式であってもよい。
【０１０６】
また、上記実施形態では、実行条件を満たしている画質調整動作が複数ある場合には、実行順序を設定してから、その実行順序に従って各画質調整動作を開始している。画質調整動作の実行順序については各種変形が可能である。
【０１０７】
具体的には、各画質調整動作の実行間隔に偏りが生じないように、実行順序をローテーションしてもよい。たとえば、１回目の印刷終了時に、トナー帯作成、通常用のカラーレジスト調整が実行されたとき、２回目の印刷終了時には、１回目の印刷終了時に実行されなかった画質調整動作（濃度補正など）をなるべく優先して実行する。
【０１０８】
また、一部の画質調整動作はローテーションせず、その他の画質調整動作だけローテーションしてもよい。
【０１０９】
また、上記実施形態では、画質調整動作の例として、トナー帯作成、濃度補正、通常用のカラーレジスト調整、微調整用のカラーレジスト調整を挙げたがこれに限定されない。
【０１１０】
以上の画像形成システム１の構成は、上記実施形態および各変形例の特徴を説明するにあたって主要構成を説明したのであって、上記の構成に限られない。また、一般的な画像形成システム１が備える構成を排除するものではない。
【０１１１】
また、上記した制御部３１の処理は、専用のハードウェア回路によっても実現することもできる。この場合には、１つのハードウェアで実行されてもよいし、複数のハードウェアで実行されてもよい。
【０１１２】
また、画像形成システム１を動作させるプログラムは、ＵＳＢメモリー、フレキシブルディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリー７２やストレージ７３等に転送され記憶される。また、このプログラムは、たとえば、単独のアプリケーションソフトとして提供されてもよいし、画像形成システム１の一機能としてソフトウェアに組み込んでもよい。
【符号の説明】
【０１１３】
１  画像形成システム、
１０  給紙装置、
２０  給紙調整装置、
３０  画像形成装置、
３１  制御部、
３２  給紙搬送部、
３３  画像形成部、
３４  読取部、
３５  定着部、
３６  排紙搬送部、
３７  操作パネル、
４０  排紙調整装置、
５０  加工装置、
６０  排紙装置、
７１  ＣＰＵ、
７２  メモリー、
７３  ストレージ、
７４  ネットワークＩ／Ｆ、
７５  入出力装置Ｉ／Ｆ
Ｐ  連続紙、
Ｂ  中間転写ベルト、
Ｔ  転写ローラー、
Ｒ１  定着ローラー、
Ｒ２  加圧ローラー。
【図１】
0005915634.tif 000002
【図２】
0005915634.tif 000003
【図３】
0005915634.tif 000004
【図４】
0005915634.tif 000005
【図５】
0005915634.tif 000006
【図６】
0005915634.tif 000007
【図７】
0005915634.tif 000008